(57)【要約】【課題】部品点数を抑制しつつ電子部品の固定を達成することができる点灯装置を提供する。【解決手段】点灯装置１００は、ケース蓋５と、ケース蓋５に収納される絶縁シートケース蓋１６と、電解コンデンサＣ１が実装された回路基板３と、絶縁シートケース本体７と、絶縁シートケース本体７を収納するケース本体８と、が重ねられたものである。絶縁シートケース蓋１６に２つの折目部１６ｃが設けられる。折目部１６ｃを作った絶縁シートケース蓋１６をケース蓋５に収納する。２つの折目部１６ｃで筒状外郭１を挟みつつ回路基板３の表面に筒状外郭１を押し付ける。このように、点灯装置１００を組み立てることで、絶縁シートケース蓋６と回路基板３の間にある電解コンデンサＣ１を固定することができる。【選択図】図１
2015095436.tif 000002
【特許請求の範囲】
【請求項１】
表面と裏面を備え、光源へ電力を供給するための点灯回路が形成された回路基板と、
部品本体および前記部品本体から伸びるリード端子を有し、前記部品本体が前記回路基板の表面に配置されるように折り曲げられた前記リード端子が前記回路基板に接続されることで、前記回路基板の前記表面に実装された電子部品と、
前記回路基板に重ねられ、前記部品本体を固定する固定手段を備えた絶縁シートと、
前記絶縁シートの外側から前記絶縁シート、前記電子部品および前記回路基板を覆うケースと、
を備えることを特徴とする点灯装置。
【請求項２】
前記絶縁シートは、前記回路基板の前記表面の側に重ねられた第１絶縁シートと、前記回路基板の前記裏面の側に重ねられた第２絶縁シートと、を含み、
前記固定手段は、前記第１絶縁シートに設けられ前記回路基板の側に凸となり前記部品本体と接する凸部を含むことを特徴とする請求項１に記載の点灯装置。
【請求項３】
前記凸部は、
前記部品本体の中心軸から一方の側にずれた部位に接触する第１凸部と、
前記第１凸部とともに前記部品本体の中心軸を挟むように前記部品本体の中心軸から前記一方の側と反対の他方の側にずれた部位に接触する第２凸部と、
を含むことを特徴とする請求項２に記載の点灯装置。
【請求項４】
前記凸部は、前記第１絶縁シートを折り曲げて設けた折目部であることを特徴とする請求項２または３に記載の点灯装置。
【請求項５】
前記絶縁シートは、前記回路基板の前記表面の側に重ねられた第１絶縁シートと、前記回路基板の前記裏面の側に重ねられた第２絶縁シートと、を含み、
前記固定手段は、前記第１絶縁シートに設けられ前記回路基板の側に凸となり前記部品本体と接する段差部を含むことを特徴とする請求項１〜４のいずれか１項に記載の点灯装置。
【請求項６】
前記絶縁シートは、前記回路基板の前記表面の側に重ねられた第１絶縁シートと、前記回路基板の前記裏面の側に重ねられた第２絶縁シートと、を含み、
前記固定手段は、前記第２絶縁シートの一部であって前記第２絶縁シートの一方の側端面から他方の側端面に延びるバンド部を含むことを特徴とする請求項１〜５のいずれか１項に記載の点灯装置。
【請求項７】
前記バンド部は、前記部品本体の表面に面接触することを特徴とする請求項６に記載の点灯装置。
【請求項８】
前記電子部品が、電解コンデンサであり、
前記部品本体は、電解コンデンサの筒状外郭であり、
前記筒状外郭が、対向する２つの平面およびこれらを結ぶ側周面を備え、
前記リード端子は、前記２つの平面のうち一方から伸びており、
前記２つの平面のうち他方には前記リード端子が設けられていないことを特徴とする請求項１〜７のいずれか１項に記載の点灯装置。
【発明の詳細な説明】
【技術分野】
【０００１】
本発明は、点灯装置に関する。
【背景技術】
【０００２】
従来、例えば、特開平６−６９６２４号公報に開示されているように、回路基板上に電解コンデンサを固定する構造を備えた点灯装置が知られている。この公報にかかる点灯装置では、具体的には、固定用のスペーサあるいは樹脂などを用いて、回路基板と電子部品を保持し固定している。また、特開平４−６８５１４号公報には、回路基板と電子部品を固定するために固定バンドを設置し保持する方法がある。
【先行技術文献】
【特許文献】
【０００３】
【特許文献１】特開平６−６９６２４号公報
【特許文献２】特開平４−６８５１４号公報
【発明の概要】
【発明が解決しようとする課題】
【０００４】
しかしながら、上記従来の固定方法においては、回路基板と電子部品を固定するために樹脂あるいは固定用バンドを別途設置する必要がある。特に、固定のために専用の固定用バンドを設置した場合、電子部品の周囲に固定バンド設置のためのスペースが必要となり回路基板の面積増大を招くので好ましくない。
【０００５】
本発明は、上述のような課題を解決するためになされたもので、部品点数を抑制しつつ電子部品の固定を達成することができる点灯装置を提供することを目的とする。
【課題を解決するための手段】
【０００６】
本発明にかかる点灯装置は、
表面と裏面を備え、光源へ電力を供給するための点灯回路が形成された回路基板と、
部品本体および前記部品本体から伸びるリード端子を有し、前記部品本体が前記回路基板の表面に配置されるように折り曲げられた前記リード端子が前記回路基板に接続されることで、前記回路基板の前記表面に実装された電子部品と、
前記回路基板に重ねられ、前記部品本体を固定する固定手段を備えた絶縁シートと、
前記絶縁シートの外側から前記絶縁シート、前記電子部品および前記回路基板を覆うケースと、
を備えることを特徴とする。
【発明の効果】
【０００７】
本発明によれば、ケースと回路基板の間に絶縁性をもたらす絶縁シートに対して固定手段を設けたことにより、部品点数を抑制しつつ電子部品の固定を達成することができる。
【図面の簡単な説明】
【０００８】
【図１】本発明の実施の形態１にかかる点灯装置の分解斜視図である。
【図２】本発明の実施の形態１にかかる点灯装置の絶縁シートケース蓋を示す展開図である。
【図３】本発明の実施の形態１にかかる点灯装置の絶縁シートケース蓋を示す平面図である。
【図４】本発明の実施の形態１にかかる点灯装置の断面図である。
【図５】本発明の実施の形態２にかかる点灯装置の絶縁シートケース蓋を示す展開図である。
【図６】本発明の実施の形態２にかかる点灯装置の絶縁シートケース蓋を示す斜視図である。
【図７】本発明の実施の形態２にかかる点灯装置の断面図である。
【図８】本発明の実施の形態３にかかる点灯装置の絶縁シートケース本体を示す展開図である。
【図９】本発明の実施の形態３にかかる点灯装置の絶縁シートケース本体を示す斜視図である。
【図１０】本発明の実施の形態３にかかる点灯装置の断面図である。
【図１１】本発明の実施の形態が解決する課題を説明するための図である。
【図１２】本発明の実施の形態が解決する課題を説明するための図である。
【図１３】本発明の実施の形態が解決する課題を説明するための図である。
【発明を実施するための形態】
【０００９】
実施の形態１．
図１は、本発明の実施の形態１にかかる点灯装置の分解斜視図である。図１に示すように、点灯装置１００は、ケース蓋５と、ケース蓋５に収納される絶縁シートケース蓋１６と、電解コンデンサＣ１が実装された回路基板３と、絶縁シートケース本体７と、絶縁シートケース本体７を収納するケース本体８と、が重ねられたものである。ケース蓋５およびケース本体８は、絶縁シートケース蓋１６の外側および絶縁シートケース本体７の外側から回路基板３を挟み込み、これらを収納する。
【００１０】
回路基板３は、表面と裏面を備え、ＬＥＤへ電力を供給するための点灯回路が形成されている。回路基板３は、長方形状の外形を備えている。回路基板３には、電解コンデンサＣ１およびこれ以外の各種電子部品（図示を省略する）が実装されている。
【００１１】
電解コンデンサＣ１は、筒状外郭１および筒状外郭１から伸びるリード端子２を有している。筒状外郭１が回路基板３の表面に配置されるように折り曲げられたリード端子２が回路基板３に半田で接続される。これにより電解コンデンサＣ１が回路基板３の表面に実装される。筒状外郭１は、対向する２つの平面１ａ、１ｃおよびこれらを結ぶ側周面１ｂを備えている。リード端子２は、平面１ｃから伸びている。平面１ａにはリード端子２が設けられていない。
【００１２】
ケース蓋５は、概略断面コ字状で、絶縁シートケース蓋１６の膨らみを収納できるものである。ケース本体８は、概略断面コ字状で、絶縁シートケース本体７の膨らみを収納できるものである。
【００１３】
点灯装置１００のケース蓋５およびケース本体８の材質は、例えば、アルミニウム、ＰＣＭ鋼板、または亜鉛メッキ鋼板などの金属が用いられる。絶縁シートケース蓋６および絶縁シートケース本体７の材質は、ポリエステルフィルムなど電気的絶縁物が用いられる。
【００１４】
回路基板３をケース蓋５およびケース本体８に収納するときに、ケース蓋５およびケース本体８と回路基板３の間に絶縁シートを配置して、ケース蓋５およびケース本体８と実装された回路基板３の充電部が電気的に接触するのを防止する。絶縁シートを用いること自体は公知技術のため、これ以上の詳細な説明は省略する。
【００１５】
図２は、本発明の実施の形態１にかかる点灯装置１００の絶縁シートケース蓋１６を示す展開図であり、図３はその平面図である。絶縁シートケース蓋１６は、主面部１６ａ、１６ｂと、主面部１６ａ、１６ｂの間に設けられ回路基板３側に凸となり筒状外郭１と接する折目部１６ｃとを有している。先ず、図２のように、平面状の絶縁シートケース蓋１６に、折り目加工を施す。この折り目に沿って図３のように絶縁シートケース蓋１６を山と谷ができるように折る。これにより、絶縁シートケース蓋１６に２つの折目部１６ｃが設けられる。折目部１６ｃを作った絶縁シートケース蓋１６は、ケース蓋５に収納される。
【００１６】
図４は、本発明の実施の形態１にかかる点灯装置１００の断面図である。２つの折目部１６ｃが、それぞれ筒状外郭１の２点に接触しつつ回路基板３の表面に筒状外郭１を押し付けることで、筒状外郭１を安定的に固定することができる。このように、点灯装置１００を組み立てることで、図４の断面図のように絶縁シートケース蓋６と回路基板３の間にある電解コンデンサＣ１を固定することができる。
【００１７】
図１１〜図１３は、本発明の実施の形態が解決する課題を説明するための図である。図１１は電解コンデンサＣ１の筒状外郭１が回路基板に固定されていない場合の側面図である。図１２は電解コンデンサＣ１の筒状外郭１が回路基板に固定されていない場合の上面図である。回路基板３にリード端子２を半田４で半田付けした状態である。図１３に示すようなリード端子２が一端から導出されている電解コンデンサＣ１はその特性上小型化が困難な場合がある。
【００１８】
そこで、図１１に示すように、縦長の電解コンデンサＣ１は、リード端子２を折り曲げ、回路基板３上に横方向に寝かせて設置される。縦長の電解コンデンサＣ１のリード端子２を折り曲げることによって回路基板３への実装後の高さを抑えることができる。しかし、図１１に示す矢印方向および図１２示す矢印方向のように、回路基板３に取り付けたリード端子２を支点として筒状外郭１が大きく振動してしまうという問題がある。
【００１９】
この点、実施の形態１によれば、絶縁シートケース蓋１６に対して筒状外郭１の固定手段を設けたので、図１１および図１２に示すような振動を抑制することができる。この固定手段はケース蓋５およびケース本体８と回路基板３の間に絶縁性をもたらす絶縁シートケース蓋１６の一部として設けられているので、別途の専用部品を必要とせず、部品点数を抑制しつつ電子部品の固定を達成することができる。
【００２０】
また、実施の形態１によれば２つの折目部１６ｃが、筒状外郭１の中心軸を挟んで互いに向かい合い２点で筒状外郭１を挟み込む。これにより、回路基板３の平面方向に沿う筒状外郭１の移動を確実に抑制することができる。
【００２１】
なお、本発明の趣旨を逸脱しない範囲内で種々の設計変更を行うことが可能である。たとえば、実施の形態１では電解コンデンサについて説明したが、本発明はこれに限られるものではない。縦長の電子部品で、その一端部からリード端子が導出している任意の電子部品に本発明を適用できる。
【００２２】
実施の形態２．
図５は、本発明の実施の形態２にかかる点灯装置２００の絶縁シートケース蓋２６を示す展開図である。図６は、本発明の実施の形態２にかかる点灯装置２００の絶縁シートケース蓋２６を示す斜視図である。図１における絶縁シートケース蓋１６をこの絶縁シートケース蓋２６に置換した点を除き、点灯装置１００と点灯装置２００は同じ構成を備えている。
【００２３】
絶縁シートケース蓋２６は、中央面２６ａと両端の側面２６ｂとを備えている。中央面２６ａの中央部には、凸形のエンボス加工を施した段差部２６ｃが設けられている。
【００２４】
図７は、本発明の実施の形態２にかかる点灯装置２００の断面図である。図７の断面図のように、絶縁シートケース蓋２６の段差部２６ｃが、筒状外郭１の表面の一部分に接触しつつ、筒状外郭１を回路基板３へと押し付けてもよい。なお、段差部２６ｃは１つに限らず、絶縁シートケース蓋２６に複数個の段差部２６ｃを設けてもよい。
【００２５】
実施の形態３．
図８は、本発明の実施の形態３にかかる点灯装置３００の絶縁シートケース本体３７を示す展開図である。図９は、本発明の実施の形態３にかかる点灯装置３００の絶縁シートケース本体３７を示す斜視図である。図１における絶縁シートケース蓋１６をコの字状の断面形状を有する絶縁シートケース蓋６に置換し、図１における絶縁シートケース本体７を絶縁シートケース本体３７に置換した点を除き、点灯装置１００と点灯装置３００は同じ構成を備えている。
【００２６】
絶縁シートケース本体３７は、中央面３７ａと、その両脇に設けられた側面３７ｂを備えている。側面３７ｂの一方には、バンド部３７ｃおよび係合部３７ｄが設けられている。側面３７ｂの他方には、穴部３７ｅが設けられている。
【００２７】
図１０は、本発明の実施の形態３にかかる点灯装置３００の断面図である。図１０の断面図のように、絶縁シートケース本体３７に収納した回路基板３上の電解コンデンサＣ１を固定するために、バンド部３７ｃを筒状外郭１表面に面接触させつつ、係合部３７ｄを穴部３７ｅに差し込んで止める。こうすることで、筒状外郭１を固定することができる。
【符号の説明】
【００２８】
１  筒状外郭、１ａ  平面、１ｂ  側周面、１ｃ  平面、２  リード端子、３  回路基板、４  半田、５  ケース蓋、６、１６、２６、  絶縁シートケース蓋、７、３７  絶縁シートケース本体、８  ケース本体、１６  絶縁シートケース蓋、１６ｃ  折目部、２６ａ  中央面、２６ｂ  側面、２６ｃ  段差部、３７ａ  中央面、３７ｂ  側面、３７ｃ  バンド部、３７ｄ  係合部、３７ｅ  穴部、１００、２００、３００  点灯装置、Ｃ１  電解コンデンサ
【図１】
2015095436.tif 000003
【図２】
2015095436.tif 000004
【図３】
2015095436.tif 000005
【図４】
2015095436.tif 000006
【図５】
2015095436.tif 000007
【図６】
2015095436.tif 000008
【図７】
2015095436.tif 000009
【図８】
2015095436.tif 000010
【図９】
2015095436.tif 000011
【図１０】
2015095436.tif 000012
【図１１】
2015095436.tif 000013
【図１２】
2015095436.tif 000014
【図１３】
2015095436.tif 000015